(57)【要約】【課題】冷媒流路の分流部に通じている熱交換チューブへの冷媒の分流を均一化しうる熱交換器を提供する。【解決手段】両ヘッダタンク2,3を、隣接する２つのタンクエレメント31のヘッダ構成部32A,32Bどうしの一部を嵌め合わせることにより構成する。両ヘッダタンク2,3のヘッダ部5,17の一部の区画11,12,21が、冷媒をその長さ方向に流しかつ冷媒を複数の熱交換チューブ24に分流させる分流部10A,19A,20Aが設けられた冷媒流路10,19,20を有する。ヘッダ構成部32A,32Bに、熱交換チューブ24をヘッダ構成部32A,32B内に通じさせる連通口30を形成する。分流部10A,19A,20Aの一部を構成するタンクエレメント31のヘッダ構成部32A,32Bの連通口30を、タンクエレメント31に隣接するタンクエレメント31のヘッダ構成部32A,32Bにより部分的に塞ぐ。【選択図】図３
2017009195.tif 000002
【特許請求の範囲】
【請求項１】
長手方向を同一方向に向けた状態で互いに間隔をおいて配置された２つのヘッダタンクと、長手方向をヘッダタンクの長手方向と直角をなす方向に向けた状態で両ヘッダタンク間に間隔をおいて配置された複数の熱交換チューブとを備えており、各ヘッダタンクに少なくとも１つのヘッダ部が設けられるとともに、熱交換チューブの両端部がヘッダ部に通じさせられている熱交換器において、
ヘッダタンクが、筒状ヘッダ構成部を有するタンクエレメントが、熱交換チューブの並び方向に積層状に並べられるとともに、隣り合う２つのタンクエレメントのうち一方のタンクエレメントのヘッダ構成部の一部が同他方のタンクエレメントのヘッダ構成部内に嵌め入れられ、さらに両ヘッダ構成部どうしが接合されることにより構成され、両ヘッダタンクを構成する２つのタンクエレメント間に１つの熱交換チューブが設けられ、タンクエレメントのヘッダ構成部に、熱交換チューブをヘッダ構成部内に通じさせる連通口が形成され、全タンクエレメントのヘッダ構成部のうち一部のタンクエレメントのヘッダ構成部の連通口が、当該タンクエレメントに隣接するタンクエレメントにおける当該ヘッダ構成部内に嵌め入れられたヘッダ構成部により部分的に塞がれている熱交換器。
【請求項２】
タンクエレメントが、熱交換チューブの並び方向に積層されて相互に接合された２枚のプレートからなり、各プレートに貫通穴が形成され、各プレートにおける貫通穴の周囲の部分に、それぞれ他のプレートとは反対側に突出しかつタンクエレメントのヘッダ構成部における熱交換チューブの並び方向の半部を形成する筒状部が設けられ、各プレートの筒状部に、連通口における熱交換管の並び方向の半部を形成する凹部が形成され、隣接する２つのタンクエレメントからなるエレメント対の近接した２枚のプレートのうち第１のプレートの筒状部が第２のプレートの筒状部内に嵌め入れられており、全タンクエレメントのヘッダ構成部のうち一部のタンクエレメントのヘッダ構成部の連通口が、前記第１のプレートの筒状部によって部分的に塞がれている請求項１記載の熱交換器。
【請求項３】
ヘッダ構成部の連通口を部分的に塞ぐ前記第１のプレートの筒状部の長さが、他の前記第１プレートの筒状部の長さよりも長くなっている請求項２記載の熱交換器。
【請求項４】
タンクエレメントに、前記連通口と通じるように筒状のチューブ挿入部が設けられ、当該チューブ挿入部が、タンクエレメントを構成する２枚のプレートに筒状部の突出方向と同方向に膨出するように設けられ、かつチューブ挿入部における熱交換チューブの並び方向の半部を形成する膨出部からなり、一方のヘッダタンクのタンクエレメントと他方のヘッダタンクのタンクエレメントとの間に、タンクエレメントとは別個に形成された熱交換チューブが配置され、当該熱交換チューブの両端部が、両タンクエレメントのチューブ挿入部内に挿入されてタンクエレメントに接合されている請求項２または３記載の熱交換器。
【請求項５】
両ヘッダタンクのタンクエレメントと一体に熱交換チューブが設けられるとともに熱交換チューブの両端が両タンクエレメントの連通口に通じさせられ、当該熱交換チューブが、両タンクエレメントの両プレートと一体に設けられ、かつ熱交換チューブにおけるタンクエレメントの並び方向の半部を形成するチューブ構成部からなる請求項２または３記載の熱交換器。
【請求項６】
少なくとも１つのヘッダ部内が、ヘッダ部に設けられた仕切部によって長手方向に並んだ複数の区画に分割され、仕切部が、隣接する２つのタンクエレメントの近接した２枚のプレートにおける前記第１プレートの筒状部の先端が閉鎖されることにより設けられている請求項２〜５のうちのいずれかに記載の熱交換器。
【請求項７】
ヘッダ部に設けられた全区画のうち少なくとも一部の区画が、冷媒をその長さ方向に流すとともに冷媒流れ方向下流端部が閉鎖された冷媒流路を有しており、当該冷媒流路の少なくとも一部に、冷媒を複数の熱交換チューブに分流させる分流部が設けられ、当該分流部が設けられている冷媒流路を有する区画を構成する全タンクエレメントのヘッダ構成部のうち、少なくとも分流部の一部を構成する複数のタンクエレメントのヘッダ構成部の連通口が、当該タンクエレメントに隣接するタンクエレメントにおける当該ヘッダ構成部内に嵌め入れられたヘッダ構成部により部分的に塞がれている請求項６記載の熱交換器。
【請求項８】
２つのヘッダタンクが上下方向に間隔をおいて配置され、各ヘッダタンクが、通風方向に並んで設けられた２つのヘッダ部を備え、両ヘッダタンクの風下側ヘッダ部間および風上側ヘッダ部間にそれぞれ複数の熱交換チューブが配置されて両ヘッダ部に通じさせられ、タンクエレメントに通風方向に並んだ２つのヘッダ構成部が設けられ、タンクエレメントを構成する２枚のプレートが、それぞれ通風方向に並んだ２つの貫通穴、および両貫通穴の周囲に形成された筒状部を有しており、
上ヘッダタンクの風下側ヘッダ部に複数の区画が設けられ、当該風下側ヘッダ部の一端に冷媒入口が設けられるとともに、当該風下側ヘッダ部の冷媒入口側端部の区画の全体が、冷媒をその長さ方向に流すとともに冷媒流れ方向下流端部が閉鎖された冷媒流路であり、当該冷媒流路の全体に、冷媒を複数の熱交換チューブに分流させる分流部が設けられ、当該区画を構成する全タンクエレメントのうち分流部の冷媒入口側部分を構成する複数のタンクエレメントの連通口が、当該タンクエレメントに隣接するタンクエレメントにおける当該ヘッダ構成部内に嵌め入れられたヘッダ構成部により部分的に塞がれている請求項７記載の熱交換器。
【請求項９】
２つのヘッダタンクが上下方向に間隔をおいて配置され、各ヘッダタンクが、通風方向に並んで設けられた２つのヘッダ部を備え、両ヘッダタンクの風下側ヘッダ部間および風上側ヘッダ部間にそれぞれ複数の熱交換チューブが配置されて両ヘッダ部に通じさせられ、タンクエレメントに通風方向に並んだ２つのヘッダ構成部が設けられ、タンクエレメントを構成する２枚のプレートが、それぞれ通風方向に並んだ２つの貫通穴、および両貫通穴の周囲に形成された筒状部を有しており、
下ヘッダタンクの各ヘッダ部に、冷媒をその長さ方向に流すとともに冷媒流れ方向下流端部が閉鎖された冷媒流路を有する区画が設けられ、当該区画の冷媒流路の少なくとも一部に、冷媒を複数の熱交換チューブに分流させる分流部が設けられ、当該区画を構成する全タンクエレメントのうち分流部の冷媒流れ方向下流側の部分を構成する複数のタンクエレメントの連通口が、当該タンクエレメントに隣接するタンクエレメントにおける当該ヘッダ構成部内に嵌め入れられたヘッダ構成部により部分的に塞がれている請求項７記載の熱交換器。
【請求項１０】
２つのヘッダタンクが上下方向に間隔をおいて配置され、各ヘッダタンクが、通風方向に並んで設けられた２つのヘッダ部を備え、両ヘッダタンクの風下側ヘッダ部間および風上側ヘッダ部間にそれぞれ複数の熱交換チューブが配置されて両ヘッダ部に通じさせられ、両ヘッダタンクの風下側ヘッダ部間に配置された複数の熱交換チューブにより風下側チューブ列が構成されるとともに、風上側ヘッダ部間に配置された複数の熱交換チューブにより風上側チューブ列が構成され、タンクエレメントに通風方向に並んだ２つのヘッダ構成部が設けられ、タンクエレメントを構成する２枚のプレートが、それぞれ通風方向に並んだ２つの貫通穴、および両貫通穴の周囲に形成された筒状部を有しており、
いずれかのヘッダタンクの風下側ヘッダ部の一端部に冷媒入口が設けられるとともに、当該ヘッダタンクの風上側ヘッダ部における冷媒入口と同一端部に冷媒出口が設けられ、上ヘッダタンクの両ヘッダ部に、それぞれ複数の区画が設けられ、風下側チューブ列および風上側チューブ列に、それぞれ複数の熱交換チューブからなり、かつ冷媒が熱交換チューブ内を上から下に流れる下降流チューブ群と、複数の熱交換チューブからなり、かつ冷媒が下から上に流れる上昇流チューブ群とが交互に設けられ、風下側チューブ列の冷媒入口から最も遠い位置にある最遠チューブ群および風上側チューブ列の冷媒出口から最も遠い位置にある最遠チューブ群が下降流チューブ群となり、両最遠チューブ群が通風方向に並ぶとともに、当該両最遠チューブ群により１つのパスが構成され、上ヘッダタンクの風下側ヘッダ部における冷媒入口から最も遠い最遠区画に、風下側チューブ列の最遠チューブ群およびこれに隣接するチューブ群が通じさせられ、上ヘッダタンクの風上側ヘッダ部における冷媒出口から最も遠い最遠区画に風上側チューブ列の最遠チューブ群が通じさせられ、風下側ヘッダ部の最遠区画における風下側チューブ列の最遠チューブ群が通じる部分と、風上側ヘッダ部の最遠区画とが連通部により通じさせられ、上ヘッダタンクの風下側ヘッダ部の最遠区画の全体が、冷媒をその長さ方向に流すとともに冷媒流れ方向下流端部が閉鎖された冷媒流路であり、当該冷媒流路における冷媒流れ方向下流側部分に、冷媒を、風下側チューブ列の最遠チューブ群の熱交換チューブに分流させる分流部が設けられ、上ヘッダタンクの風下側ヘッダ部の最遠区画を構成する全タンクエレメントのヘッダ構成部のうち、少なくとも分流部の一部を構成する複数のタンクエレメントのヘッダ構成部の連通口が、当該タンクエレメントに隣接するタンクエレメントにおける当該ヘッダ構成部内に嵌め入れられたヘッダ構成部により部分的に塞がれている請求項７記載の熱交換器。
【発明の詳細な説明】
【技術分野】
【０００１】
この発明は、エバポレータ、ヒータコア、コンデンサなどに用いられる熱交換器に関する。
【０００２】
この明細書において、「アルミニウム」という用語には、純アルミニウムの他にアルミニウム合金を含むものとする。また、この明細書において、図１〜図４の上下を上下というものとする。
【背景技術】
【０００３】
たとえば、自動車に搭載される冷凍サイクルであるカーエアコンに用いられるエバポレータとして、長手方向を上下方向に向けるとともに幅方向を通風方向に向けた状態で互いに間隔をおいて並列状に配置された複数の扁平状熱交換チューブと、長手方向を熱交換チューブの並び方向に向けた状態で熱交換チューブの上下両側に配置された上下１対のヘッダタンクと、ヘッダタンクの長手方向に隣り合う熱交換チューブどうしの間に配置されたフィンとを備えており、各ヘッダタンクが、通風方向に並んで設けられた２つのヘッダ部を備え、両ヘッダタンクの風下側ヘッダ部間および風上側ヘッダ部間にそれぞれ複数の熱交換チューブが配置されて両端部が両ヘッダ部に通じさせられ、両ヘッダタンクの各ヘッダ部に、ヘッダ部の長手方向に並んだ複数の区画が設けられ、下ヘッダタンクの各ヘッダ部の全区画のうち少なくとも一部の区画が、冷媒をその長さ方向に流すとともに冷媒流れ方向下流端部が閉鎖された冷媒流路を有しており、当該冷媒流路の少なくとも一部に、冷媒を複数の熱交換チューブに分流させる分流部が設けられ、さらにいずれか一方のヘッダタンクの風下側ヘッダ部の一端に冷媒入口が設けられ、当該風下側ヘッダ部の冷媒入口側端部の区画が、冷媒をその長さ方向に流すとともに冷媒流れ方向下流端部が閉鎖された冷媒流路を有しており、当該冷媒流路の少なくとも一部に、冷媒を複数の熱交換チューブに分流させる分流部が設けられているエバポレータが広く用いられている。
【０００４】
上述したエバポレータの具体例として、たとえばアルミニウム板にプレス加工を施すことにより形成されて互いに接合された２枚の縦長プレートからなり、かつ長手方向を上下方向に向けるとともに幅方向を通風方向に向けた複数の扁平中空体が、厚み方向に積層状に配置されることによって構成されており、扁平中空体に、２枚の縦長金属プレート間に形成されて扁平中空体の厚み方向に膨出しかつ通風方向に間隔をおいて並んだ２つの熱交換チューブと、２枚の縦長プレート間に膨出状熱交換チューブの両端に通じるように形成されて扁平中空体の厚み方向に膨出し、かつ膨出状熱交換チューブよりも膨出高さの高い２つの膨出状ヘッダ構成部とが設けられ、扁平中空体の両縦長プレートが隣り合う扁平中空体のヘッダ構成部どうしが接合されることにより、風下側ヘッダ部および風上側ヘッダ部を有する上下両ヘッダタンクが形成され、隣り合う扁平中空体の熱交換チューブが設けられている部分の間が通風間隙となるとともに当該通風間隙にフィンが配置されている所謂積層型エバポレータが広く知られている（特許文献１参照）。
【０００５】
また、上述したエバポレータの他の具体例として、熱交換チューブがアルミニウム押出形材製であるとともに、両ヘッダタンクが熱交換チューブとは別個に形成されており、各ヘッダタンクが、アルミニウム板にプレス加工を施すことにより形成されかつ複数の管挿入穴を有する第１タンク構成部材と、アルミニウム板にプレス加工を施すことにより形成されかつ第１タンク構成部材の熱交換チューブとは反対側に配置された第２タンク構成部材と、アルミニウム板にプレス加工を施すことにより形成されかつ第１タンク構成部材と第２タンク構成部材との間に配置されて第１および第２タンク構成部材にろう付された第３タンク構成部材とからなり、第１タンク構成部材の風下側部分および風上側部分にそれぞれ複数の管挿入穴が形成され、熱交換チューブの端部が管挿入穴に挿入されてヘッダタンクの第１構成部材にろう付され、第１タンク構成部材と第２タンク構成部材との間に風下側ヘッダ部間および風上側ヘッダ部間が形成されるとともに、両ヘッダ部内が第３タンク構成部材に設けられた仕切部により上下両空間に分割されているエバポレータが広く用いられている（特許文献２参照）。
【０００６】
特許文献１記載のエバポレータによれば、扁平中空体の数を変更することによってエバポレータの熱交換チューブの並び方向の寸法を変更することは容易であるが、扁平中空体を形成する金属プレートがプレス成形品であるから、エバポレータの高さや、隣り合う熱交換チューブ間の間隔を変更することは困難である。
【０００７】
特許文献２記載のエバポレータによれば、熱交換チューブが押出形材製であるから、熱交換チューブの長さを変更することによってエバポレータの高さを変更することは比較的簡単であるが、ヘッダタンクを構成する第１〜第３部材がプレス成形品であるから、エバポレータの熱交換チューブの並び方向の寸法や、隣り合う熱交換チューブ間の間隔を変更することは困難である。
【０００８】
また、特許文献１および２記載のエバポレータにおいて、下ヘッダタンクの各ヘッダ部の全区画のうち一部に分流部が設けられている冷媒流路を有する区画においては、慣性により冷媒が当該冷媒流路の奥側に流れやすいので、当該冷媒流路の分流部に通じているすべての熱交換チューブへの冷媒の分流が不均一になるおそれがある。
【０００９】
この問題を解決したエバポレータとしては、前記下ヘッダタンクの各ヘッダ部の全区画のうち一部に分流部が設けられている冷媒流路を有する区画内に、当該区画内を長手方向に分割する複数の仕切板が配置され、仕切板に絞り穴が形成されたエバポレータが知られている（特許文献３参照）。
【００１０】
しかしながら、特許文献３載のエバポレータによれば、冷媒流路の通路抵抗が増大し、冷媒循環量が減少して熱交換性能が低下するおそれがある。
【先行技術文献】
【特許文献】
【００１１】
【特許文献１】特開２０１３−２４５１７号公報
【特許文献２】特開２０１３−９６６５９号公報
【特許文献３】特開２００１−７４３８８号公報
【発明の概要】
【発明が解決しようとする課題】
【００１２】
この発明の目的は、上記問題を解決し、熱交換チューブの長手方向の寸法、熱交換チューブの並び方向の寸法および隣り合う熱交換チューブ間の間隔を比較的容易に変更しうるとともに、通路抵抗を増大させることなく冷媒流路の分流部に通じている熱交換チューブへの冷媒の分流を均一化しうる熱交換器を提供することにある。
【課題を解決するための手段】
【００１３】
本発明は、上記目的を達成するために以下の態様からなる。
【００１４】
1)長手方向を同一方向に向けた状態で互いに間隔をおいて配置された２つのヘッダタンクと、長手方向をヘッダタンクの長手方向と直角をなす方向に向けた状態で両ヘッダタンク間に間隔をおいて配置された複数の熱交換チューブとを備えており、各ヘッダタンクに少なくとも１つのヘッダ部が設けられるとともに、熱交換チューブの両端部がヘッダ部に通じさせられている熱交換器において、
ヘッダタンクが、筒状ヘッダ構成部を有するタンクエレメントが、熱交換チューブの並び方向に積層状に並べられるとともに、隣り合う２つのタンクエレメントのうち一方のタンクエレメントのヘッダ構成部の一部が同他方のタンクエレメントのヘッダ構成部内に嵌め入れられ、さらに両ヘッダ構成部どうしが接合されることにより構成され、両ヘッダタンクを構成する２つのタンクエレメント間に１つの熱交換チューブが設けられ、タンクエレメントのヘッダ構成部に、熱交換チューブをヘッダ構成部内に通じさせる連通口が形成され、全タンクエレメントのヘッダ構成部のうち一部のタンクエレメントのヘッダ構成部の連通口が、当該タンクエレメントに隣接するタンクエレメントにおける当該ヘッダ構成部内に嵌め入れられたヘッダ構成部により部分的に塞がれている熱交換器。
【００１５】
2)タンクエレメントが、熱交換チューブの並び方向に積層されて相互に接合された２枚のプレートからなり、各プレートに貫通穴が形成され、各プレートにおける貫通穴の周囲の部分に、それぞれ他のプレートとは反対側に突出しかつタンクエレメントのヘッダ構成部における熱交換チューブの並び方向の半部を形成する筒状部が設けられ、各プレートの筒状部に、連通口における熱交換管の並び方向の半部を形成する凹部が形成され、隣接する２つのタンクエレメントからなるエレメント対の近接した２枚のプレートのうち第１のプレートの筒状部が第２のプレートの筒状部内に嵌め入れられており、全タンクエレメントのヘッダ構成部のうち一部のタンクエレメントのヘッダ構成部の連通口が、前記第１のプレートの筒状部によって部分的に塞がれている上記1)記載の熱交換器。
【００１６】
3)ヘッダ構成部の連通口を部分的に塞ぐ前記第１のプレートの筒状部の長さが、他の前記第１プレートの筒状部の長さよりも長くなっている上記2)記載の熱交換器。
【００１７】
4)タンクエレメントに、前記連通口と通じるように筒状のチューブ挿入部が設けられ、当該チューブ挿入部が、タンクエレメントを構成する２枚のプレートに筒状部の突出方向と同方向に膨出するように設けられ、かつチューブ挿入部における熱交換チューブの並び方向の半部を形成する膨出部からなり、一方のヘッダタンクのタンクエレメントと他方のヘッダタンクのタンクエレメントとの間に、タンクエレメントとは別個に形成された熱交換チューブが配置され、当該熱交換チューブの両端部が、両タンクエレメントのチューブ挿入部内に挿入されてタンクエレメントに接合されている上記2)または3)記載の熱交換器。
【００１８】
5)両ヘッダタンクのタンクエレメントと一体に熱交換チューブが設けられるとともに熱交換チューブの両端が両タンクエレメントの連通口に通じさせられ、当該熱交換チューブが、両タンクエレメントの両プレートと一体に設けられ、かつ熱交換チューブにおけるタンクエレメントの並び方向の半部を形成するチューブ構成部からなる上記2)または3)記載の熱交換器。
【００１９】
6)少なくとも１つのヘッダ部内が、ヘッダ部に設けられた仕切部によって長手方向に並んだ複数の区画に分割され、仕切部が、隣接する２つのタンクエレメントの近接した２枚のプレートにおける前記第１プレートの筒状部の先端が閉鎖されることにより設けられている上記2)〜5)のうちのいずれかに記載の熱交換器。
【００２０】
7)ヘッダ部に設けられた全区画のうち少なくとも一部の区画が、冷媒をその長さ方向に流すとともに冷媒流れ方向下流端部が閉鎖された冷媒流路を有しており、当該冷媒流路の少なくとも一部に、冷媒を複数の熱交換チューブに分流させる分流部が設けられ、当該分流部が設けられている冷媒流路を有する区画を構成する全タンクエレメントのヘッダ構成部のうち、少なくとも分流部の一部を構成する複数のタンクエレメントのヘッダ構成部の連通口が、当該タンクエレメントに隣接するタンクエレメントにおける当該ヘッダ構成部内に嵌め入れられたヘッダ構成部により部分的に塞がれている上記6)記載の熱交換器。
【００２１】
8)２つのヘッダタンクが上下方向に間隔をおいて配置され、各ヘッダタンクが、通風方向に並んで設けられた２つのヘッダ部を備え、両ヘッダタンクの風下側ヘッダ部間および風上側ヘッダ部間にそれぞれ複数の熱交換チューブが配置されて両ヘッダ部に通じさせられ、タンクエレメントに通風方向に並んだ２つのヘッダ構成部が設けられ、タンクエレメントを構成する２枚のプレートが、それぞれ通風方向に並んだ２つの貫通穴、および両貫通穴の周囲に形成された筒状部を有しており、
上ヘッダタンクの風下側ヘッダ部に複数の区画が設けられ、当該風下側ヘッダ部の一端に冷媒入口が設けられるとともに、当該風下側ヘッダ部の冷媒入口側端部の区画の全体が、冷媒をその長さ方向に流すとともに冷媒流れ方向下流端部が閉鎖された冷媒流路であり、当該冷媒流路の全体に、冷媒を複数の熱交換チューブに分流させる分流部が設けられ、当該区画を構成する全タンクエレメントのうち分流部の冷媒入口側部分を構成する複数のタンクエレメントの連通口が、当該タンクエレメントに隣接するタンクエレメントにおける当該ヘッダ構成部内に嵌め入れられたヘッダ構成部により部分的に塞がれている上記7)記載の熱交換器。
【００２２】
9)２つのヘッダタンクが上下方向に間隔をおいて配置され、各ヘッダタンクが、通風方向に並んで設けられた２つのヘッダ部を備え、両ヘッダタンクの風下側ヘッダ部間および風上側ヘッダ部間にそれぞれ複数の熱交換チューブが配置されて両ヘッダ部に通じさせられ、タンクエレメントに通風方向に並んだ２つのヘッダ構成部が設けられ、タンクエレメントを構成する２枚のプレートが、それぞれ通風方向に並んだ２つの貫通穴、および両貫通穴の周囲に形成された筒状部を有しており、
下ヘッダタンクの各ヘッダ部に、冷媒をその長さ方向に流すとともに冷媒流れ方向下流端部が閉鎖された冷媒流路を有する区画が設けられ、当該区画の冷媒流路の少なくとも一部に、冷媒を複数の熱交換チューブに分流させる分流部が設けられ、当該区画を構成する全タンクエレメントのうち分流部の冷媒流れ方向下流側の部分を構成する複数のタンクエレメントの連通口が、当該タンクエレメントに隣接するタンクエレメントにおける当該ヘッダ構成部内に嵌め入れられたヘッダ構成部により部分的に塞がれている上記7)記載の熱交換器。
【００２３】
10)２つのヘッダタンクが上下方向に間隔をおいて配置され、各ヘッダタンクが、通風方向に並んで設けられた２つのヘッダ部を備え、両ヘッダタンクの風下側ヘッダ部間および風上側ヘッダ部間にそれぞれ複数の熱交換チューブが配置されて両ヘッダ部に通じさせられ、両ヘッダタンクの風下側ヘッダ部間に配置された複数の熱交換チューブにより風下側チューブ列が構成されるとともに、風上側ヘッダ部間に配置された複数の熱交換チューブにより風上側チューブ列が構成され、タンクエレメントに通風方向に並んだ２つのヘッダ構成部が設けられ、タンクエレメントを構成する２枚のプレートが、それぞれ通風方向に並んだ２つの貫通穴、および両貫通穴の周囲に形成された筒状部を有しており、
いずれかのヘッダタンクの風下側ヘッダ部の一端部に冷媒入口が設けられるとともに、当該ヘッダタンクの風上側ヘッダ部における冷媒入口と同一端部に冷媒出口が設けられ、上ヘッダタンクの両ヘッダ部に、それぞれ複数の区画が設けられ、風下側チューブ列および風上側チューブ列に、それぞれ複数の熱交換チューブからなり、かつ冷媒が熱交換チューブ内を上から下に流れる下降流チューブ群と、複数の熱交換チューブからなり、かつ冷媒が下から上に流れる上昇流チューブ群とが交互に設けられ、風下側チューブ列の冷媒入口から最も遠い位置にある最遠チューブ群および風上側チューブ列の冷媒出口から最も遠い位置にある最遠チューブ群が下降流チューブ群となり、両最遠チューブ群が通風方向に並ぶとともに、当該両最遠チューブ群により１つのパスが構成され、上ヘッダタンクの風下側ヘッダ部における冷媒入口から最も遠い最遠区画に、風下側チューブ列の最遠チューブ群およびこれに隣接するチューブ群が通じさせられ、上ヘッダタンクの風上側ヘッダ部における冷媒出口から最も遠い最遠区画に風上側チューブ列の最遠チューブ群が通じさせられ、風下側ヘッダ部の最遠区画における風下側チューブ列の最遠チューブ群が通じる部分と、風上側ヘッダ部の最遠区画とが連通部により通じさせられ、上ヘッダタンクの風下側ヘッダ部の最遠区画の全体が、冷媒をその長さ方向に流すとともに冷媒流れ方向下流端部が閉鎖された冷媒流路であり、当該冷媒流路における冷媒流れ方向下流側部分に、冷媒を、風下側チューブ列の最遠チューブ群の熱交換チューブに分流させる分流部が設けられ、上ヘッダタンクの風下側ヘッダ部の最遠区画を構成する全タンクエレメントのヘッダ構成部のうち、少なくとも分流部の一部を構成する複数のタンクエレメントのヘッダ構成部の連通口が、当該タンクエレメントに隣接するタンクエレメントにおける当該ヘッダ構成部内に嵌め入れられたヘッダ構成部により部分的に塞がれている上記7)記載の熱交換器。
【発明の効果】
【００２４】
上記1)〜10)の熱交換器によれば、ヘッダタンクが、筒状ヘッダ構成部を有するタンクエレメントが、熱交換チューブの並び方向に積層状に並べられるとともに、隣り合う２つのタンクエレメントのうち一方のタンクエレメントのヘッダ構成部の一部が同他方のタンクエレメントのヘッダ構成部内に嵌め入れられ、さらに両ヘッダ構成部どうしが接合されることにより構成され、両ヘッダタンクを構成する２つのタンクエレメント間に１つの熱交換チューブが設けられ、タンクエレメントのヘッダ構成部に、熱交換チューブをヘッダ構成部内に通じさせる連通口が形成されているので、タンクエレメントおよび熱交換チューブの数を変更することによって、熱交換チューブの並び方向の寸法を比較的容易に変更することができる。また、隣り合う２つのタンクエレメントのうち一方のタンクエレメントのヘッダ構成部における同他方のタンクエレメントのヘッダ構成部内への嵌め入れ長さを変更することによって、隣り合う熱交換チューブ間の間隔を比較的容易に変更することができる。
【００２５】
さらに、全タンクエレメントのヘッダ構成部のうち一部のタンクエレメントのヘッダ構成部の連通口が、当該タンクエレメントに隣接するタンクエレメントにおける当該ヘッダ構成部内に嵌め入れられたヘッダ構成部により部分的に塞がれているので、ヘッダ構成部の連通口が部分的に塞がれている部分においては、当該連通口に通じる熱交換チューブへの冷媒流入量が減少する。したがって、ヘッダ構成部の連通口が部分的に塞がれているタンクエレメントを適切な位置に配置することによって、全熱交換チューブへの冷媒流入量を均一化することが可能になる。
【００２６】
上記2)および3)の熱交換器によれば、比較的簡単な構成で、タンクエレメントのヘッダ構成部の連通口を部分的に塞ぐことが可能になる。
【００２７】
上記4)の熱交換器によれば、熱交換チューブがタンクエレメントと別個に形成されているので、熱交換チューブを、たとえば押出形材を適当な寸法に切断したり、板材を曲げることにより形成された筒状材を適当な寸法に切断したりすることにより製造することができ、その結果熱交換チューブの長さ調節が比較的容易になる。したがって、熱交換チューブの長さを変更することによって、熱交換器における熱交換チューブの長手方向の寸法を比較的容易に変更することができる。
【００２８】
上記6)の熱交換器によれば、少なくとも１つのヘッダ部に、当該ヘッダ部内をヘッダ部の長手方向に複数の区画に分割する仕切部を簡単に設けることができる。
【００２９】
上記7)の熱交換器によれば、ヘッダ部に設けられた全区画のうち少なくとも一部の区画が、冷媒をその長さ方向に流すとともに冷媒流れ方向下流端部が閉鎖された冷媒流路を有しており、当該冷媒流路の少なくとも一部に、冷媒を複数の熱交換チューブに分流させる分流部が設けられ、当該分流部が設けられている冷媒流路を有する区画を構成する全タンクエレメントのヘッダ構成部のうち、少なくとも分流部の一部を構成する複数のタンクエレメントのヘッダ構成部の連通口が、当該タンクエレメントに隣接するタンクエレメントにおける当該ヘッダ構成部内に嵌め入れられたヘッダ構成部により部分的に塞がれているので、分流部から連通口を経て熱交換チューブに冷媒が流入する際に、部分的に塞がれている連通口に通じる熱交換チューブ部への冷媒流入量が減少するとともに、全く塞がれていない連通口に通じる熱交換チューブ部への冷媒流入量が増大する。したがって、適当な位置のヘッダ構成部の連通口を部分的に塞ぐことにより、当該分流部に通じている全熱交換チューブへの冷媒流入量を均一化することが可能になる。
【００３０】
上記8)の熱交換器によれば、次の効果を奏する。すなわち、冷媒入口を通って上ヘッダタンクの風下側ヘッダ部における冷媒入口側端部の区画の冷媒流路に設けられている分流部内に流入する冷媒は液相主体であって、重力の影響により、冷媒流路の分流部の冷媒入口側に通じている熱交換チューブ内に流入し易いが、当該区画を構成する全タンクエレメントのうち分流部の冷媒入口側部分を構成する複数のタンクエレメントの連通口が、当該タンクエレメントに隣接するタンクエレメントにおける当該ヘッダ構成部内に嵌め入れられたヘッダ構成部により部分的に塞がれていると、分流部から連通口を経て熱交換チューブに冷媒が流入する際に、部分的に塞がれている連通口に通じる熱交換チューブ部への冷媒流入量が減少し、これとは反対に全く塞がれていない連通口に通じている熱交換チューブへの冷媒流入量が増大する。したがって、風下側ヘッダ部の冷媒入口側端部の区画の冷媒流路の分流部に通じている全熱交換チューブへの冷媒流入量を均一化することができる。
【００３１】
上記9)の熱交換器によれば、次の効果を奏する。すなわち、下ヘッダタンクのヘッダ部における分流部が設けられている冷媒流路を有する区画内に入って冷媒流路を流れる冷媒は、慣性の影響により、冷媒流路の冷媒流れ方向下流側に流れ易くなり、当該冷媒流路の少なくとも一部に設けられた分流部における冷媒流れ方向下流側部分に通じている熱交換チューブに流入し易くなるが、当該区画を構成する全タンクエレメントのうち分流部の冷媒流れ方向下流側の部分を構成する複数のタンクエレメントの連通口が、当該タンクエレメントに隣接するタンクエレメントにおける当該ヘッダ構成部内に嵌め入れられたヘッダ構成部により部分的に塞がれているので、冷媒が、分流部の冷媒流れ方向下流側部分に通じている熱交換チューブ内へ流入する際に抵抗が付与される。したがって、分流部の冷媒流れ方向下流側部分に通じている熱交換チューブに流入する冷媒量が減少し、これとは反対に分流部の冷媒流れ方向上流側部分に通じている熱交換チューブに流入する冷媒量が増大する。その結果、分流部に通じている全熱交換チューブへの冷媒の分流を均一化することができる。
【００３２】
上記10)の熱交換器によれば、次の効果を奏する。すなわち、上ヘッダタンクの風下側ヘッダ部の最遠区画内に流入しかつ当該最遠区画の冷媒流路の分流部内に流入する冷媒は、重力の影響により、当該分流部に通じている風下側チューブ列の最遠チューブ群の熱交換チューブに流入し易くなり、連通部を通って風上側ヘッダ部の最遠区画を経て風上側チューブ列の最遠チューブ群の熱交換チューブには流入しにくくなるが、上ヘッダタンクの風下側ヘッダ部の最遠区画を構成する全タンクエレメントのヘッダ構成部のうち、少なくとも分流部の一部を構成する複数のタンクエレメントのヘッダ構成部の連通口が、当該タンクエレメントに隣接するタンクエレメントにおける当該ヘッダ構成部内に嵌め入れられたヘッダ構成部により部分的に塞がれているので、冷媒が、風下側チューブ列の最遠チューブ群における分流部に通じている熱交換チューブ内への流入する際に抵抗が付与される。したがって、風下側チューブ列の最遠チューブ群における分流部に通じている熱交換チューブに流入する冷媒量が減少し、これとは反対に連通部を通って風上側ヘッダ部の最遠区画を経て風上側チューブ列の最遠チューブ群の熱交換チューブへ流入する冷媒量が増大する。その結果、風下側チューブ列の最遠チューブ群における分流部に通じている熱交換チューブおよび風上側チューブ列の最遠チューブ群の熱交換チューブへの冷媒流入量を均一化することができる。
【図面の簡単な説明】
【００３３】
【図１】この発明のエバポレータの全体構成を示す一部分を省略した斜視図である。
【図２】図１のエバポレータにおける冷媒の流れを示す図である。
【図３】図１のＡ−Ａ線拡大断面図である。
【図４】図３のＢ−Ｂ線拡大断面図である。
【図５】図４のＣ−Ｃ線断面図である。
【図６】図５のＤ−Ｄ線断面図である。
【図７】上下１対のタンクエレメントおよび両タンクエレメントに接続された熱交換チューブを示す一部分を省略した斜視図である。
【図８】仕切部および連通部が設けられていない大部分のタンクエレメントを示す分解斜視図である。
【図９】風下側上ヘッダ部の仕切部が設けられているタンクエレメントの右プレートを示す斜視図である。
【図１０】風上側上ヘッダ部の仕切部が設けられているタンクエレメントの左プレートを示す斜視図である。
【図１１】連通部が設けられているタンクエレメントを示す分解斜視図である。
【図１２】連通口の一部を塞ぐ筒状部が設けられたプレートを有するタンクエレメントを示す分解斜視図である。
【図１３】風下側上ヘッダ部の第２区画を構成する全タンクエレメントのうち冷媒流路の分流部を構成し、かつ連通部が設けられている複数のタンクエレメント右プレートを示す斜視図である。
【図１４】タンクエレメントおよび熱交換チューブの変形例を示す斜視図である。
【発明を実施するための形態】
【００３４】
以下、この発明の実施形態を、図面を参照して説明する。この実施形態は、この発明による熱交換器をカーエアコンのエバポレータに適用したものである。
【００３５】
以下の説明において、通風方向下流側（図１、図２および図４に矢印Ｘで示す方向）を前、これと反対側を後というものとする。また、前方から後方を見た際の上下、左右、すなわち図１〜図３の上下、左右を上下、左右というものとする。
【００３６】
また、以下の説明において、「アルミニウム」という用語には、純アルミニウムの他にアルミニウム合金を含むものとする。
【００３７】
図１はこの発明による熱交換器を適用したエバポレータの全体構成を示し、図２は図１のエバポレータにおける冷媒の流れを示す。また、図３〜図１３は図１のエバポレータの要部の構成を示す。
【００３８】
図１〜図４において、エバポレータ(1)は、長手方向を左右方向に向けた状態で上下方向に間隔をおいて配置されたアルミニウム製上ヘッダタンク(2)およびアルミニウム製下ヘッダタンク(3)と、両ヘッダタンク(2)(3)間に設けられた熱交換コア部(4)とを備えている。
【００３９】
上ヘッダタンク(2)は、前側（通風方向下流側）に位置する風下側上ヘッダ部(5)と、後側（通風方向上流側）に位置しかつ風下側上ヘッダ部(5)に一体化された風上側上ヘッダ部(6)とを備えている。風下側上ヘッダ部(5)の右端部に冷媒入口(7)が設けられ、風上側上ヘッダ部(6)の右端部に冷媒出口(8)が設けられている。風下側上ヘッダ部(5)における左右方向中央部よりも右側の部分に、風下側上ヘッダ部(5)内を左右方向に複数、ここでは２つの区画(11)(12)に分割する仕切部(9)が設けられている。また、風上側上ヘッダ部(6)における左右方向中央部よりも左側の部分に、風上側ヘッダ部(6)内を複数、ここでは２つの区画(14)(15)に分割する仕切部(9)が設けられている。ここで、風下側上ヘッダ部(5)の２つの区画(11)(12)を、冷媒入口(7)側端部（右端部）から他端部（左端部）に向かって第１〜第２区画というものとし、風上側上ヘッダ部(6)の２つの区画(14)(15)を、冷媒出口(8)とは反対側の端部（左端部）から冷媒出口(8)側端部（右端部）に向かって第３〜第４区画というものとする。すなわち、風下側上ヘッダ部(5)の第２区画(12)が、冷媒入口(7)から最も遠い最遠区画であり、風上側上ヘッダ部(6)の第３区画(14)が、冷媒出口(8)から最も遠い最遠区画である。また、風下側上ヘッダ部(5)の第２区画(12)における風上側上ヘッダ部(6)の仕切部(9)よりも左側の部分と、風上側上ヘッダ部(6)の第３区画(14)とが、左右方向に間隔をおいて設けられた複数の連通部(16)を介して通じさせられている。
【００４０】
下ヘッダタンク(3)は、前側に位置する風下側下ヘッダ部(17)と、後側に位置しかつ風下側下ヘッダ部(17)に一体化された風上側下ヘッダ部(18)とを備えている。風下側下ヘッダ部(17)における左右方向中央部よりも左側の部分に、風下側下ヘッダ部(17)内を左右方向に複数、ここでは２つの区画(21)(22)に分割する仕切部(9)が設けられている。ここで、風下側下ヘッダ部(17)の２つの区画(21)(22)を、冷媒入口(7)側端部（右端部）から他端部（左端部）に向かって第１〜第２区画というものとする。また、風上側下ヘッダ部(18)内は、全体が１つの区画(23)となっており、当該区画(23)を第３区画というものとする。また、風下側下ヘッダ部(17)の第２区画(22)と、風上側下ヘッダ部(18)の第３区画(23)における風下側下ヘッダ部(17)の仕切部(9)よりも左側の部分とが、左右方向に間隔をおいて設けられた複数の連通部(16)を介して通じさせられている。
【００４１】
熱交換コア部(4)において、長手方向を上下方向に向けるとともに幅方向を通風方向に向けた状態で左右方向に間隔をおいて配置された複数のアルミニウム押出形材製扁平状熱交換チューブ(24)からなるチューブ列(25)(26)が、前後方向に並んで２列設けられ、各チューブ列(25)(26)の隣接する熱交換チューブ(24)どうしの間の通風間隙および左右両端の熱交換チューブ(24)の外側に、それぞれ前後両チューブ列(25)(26)の熱交換チューブ(24)に跨るようにアルミニウム製コルゲートフィン(27)が配置されて熱交換チューブ(24)にろう付され、左右両端のコルゲートフィン(27)の外側にそれぞれアルミニウム製サイドプレート(28)が配置されてコルゲートフィン(27)にろう付されている。風下側チューブ列(25)の熱交換チューブ(24)の上下両端部は、風下側上下両ヘッダ部(5)(17)に連通状に接続され、風上側チューブ列(26)の熱交換チューブ(24)の上下両端部は、風上側上下両ヘッダ部(6)(18)に連通状に接続されている。風下側チューブ列(25)の熱交換チューブ(24)の数と風上側チューブ列(26)の熱交換チューブ(24)の数とは等しくなっている。コルゲートフィン(27)は、風下側チューブ列(25)および風上側チューブ列(26)を構成する前後の熱交換チューブ(24)に共有されている。なお、熱交換チューブ(24)はアルミニウム押出形材製のものに限らず、１枚の板をたとえばロールフォーミング法により曲げることによって形成されたものが用いられていてもよい。すなわち、一定の横断面形状を有する長尺体を一定の寸法に切断することにより形成されたものが用いられていればよい。
【００４２】
風下側チューブ列(25)には、左右方向に間隔をおいて配置された複数の熱交換チューブ(24)からなる３つのチューブ群(25A)(25B)(25C)が、右端から左端に向かって並んで設けられ、風上側チューブ列(26)には、左右方向に間隔をおいて配置された複数の熱交換チューブ(24)からなる２つ（風下側チューブ列(25)のチューブ群(25A)(25B)(25C)の数よりも１つ少ない数）のチューブ群(26A)(26B)が、左端から右端に向かって並んで設けられている。ここで、風下側チューブ列(25)の３つのチューブ群(25A)(25B)(25C)を冷媒入口(7)側端部（右端部）から他端部（左端部）に向かって第１〜第３チューブ群といい、風上側チューブ列(26)の２つのチューブ群(26A)(26B)を冷媒出口(8)とは反対側の端部（左端部）から冷媒出口(8)側端部（右端部）に向かって第４〜第５チューブ群というものとする。すなわち、風下側チューブ列(25)の第３チューブ群(25C)が、冷媒入口(7)から最も遠い位置にある最遠チューブ群であり、風上側チューブ列(26)の第４チューブ群(26A)が、冷媒出口(8)から最も遠い位置にある最遠チューブ群である。
【００４３】
風下側チューブ列(25)の第１チューブ群(25A)の熱交換チューブ(24)は、風下側上ヘッダ部(5)の第１区画(11)および風下側下ヘッダ部(17)の第１区画(21)に通じており、第２チューブ群(25B)の熱交換チューブ(24)は、風下側上ヘッダ部(5)の第２区画(12)および風下側下ヘッダ部(17)の第１区画(21)に通じており、第３チューブ群(25C)の熱交換チューブ(24)は、風下側上ヘッダ部(5)の第２区画(12)および風下側下ヘッダ部(17)の第２区画(22)に通じている。また、風上側チューブ列(26)の第４チューブ群(26A)の熱交換チューブ(24)は、風上側上ヘッダ部(6)の第３区画(14)および風上側下ヘッダ部(18)の第３区画(23)に通じており、第５チューブ群(26B)の熱交換チューブ(24)は、風上側上ヘッダ部(6)の第４区画(15)および風上側下ヘッダ部(18)の第３区画(23)に通じている。
【００４４】
上述のようにして冷媒入口(7)、冷媒出口(8)、仕切部(9)、区画(11)(12)(14)(15)(21)(22)(23)、連通部(16)、およびチューブ群(25A)(25B)(25C)(26A)(26B)が設けられることによって、冷媒は、冷媒入口(7)から流入し、次のように２つの経路を流れて冷媒出口(8)から流出するようになされている。第１の経路は、第１区画(11)、第１チューブ群(25A)、第１区画(21)、第２チューブ群(25B)、第２区画(12)、第３区画(14)、第４チューブ群(26A)、第３区画(23)、第５チューブ群(26B)および第４区画(15)であり、第２の経路は、第１区画(11)、第１チューブ群(25A)、第１区画(21)、第２チューブ群(25B)、第２区画(12)、第３チューブ群(25C)、第２区画(22)、第３区画(23)、第５チューブ群(26B)および第４区画(15)である。そして、第１チューブ群(25A)が第１パス、第２チューブ群(25B)が第２パス、第３および第４チューブ群(25C)(26A)が第３パス、第５チューブ群(26B)が第４パスを構成している。
【００４５】
ここで、風下側チューブ列(25)の第１チューブ群(25A)および第３チューブ群(25C)と風上側チューブ列(26)の第４チューブ群(26A)とが下降流チューブ群であり、風下側チューブ列(25)の第２チューブ群(25B)と風上側チューブ列(26)の第５チューブ群(26B)とが上昇流チューブ群である。すなわち、風下側チューブ列(25)の冷媒入口(7)から最も遠い位置にある第３チューブ群(25C)（最遠チューブ群）および風上側チューブ列(26)の冷媒出口(8)から最も遠い位置にある第４チューブ群(26A)（最遠チューブ群）が下降流チューブ群となり、両チューブ群(25C)(26A)が通風方向に並ぶとともに、両チューブ群(25C)(26A)により１つのパスが構成されている。
【００４６】
したがって、上述したエバポレータ(1)において、風下側上ヘッダ部(5)の第１区画(11)および第２区画(12)、風下側下ヘッダ部(17)の第１区画(21)、ならびに風上側下ヘッダ部(18)の第３区画(23)が、冷媒をその長さ方向に流しかつ冷媒流れ方向下流端部が閉鎖された冷媒流路(10)(19)(20)(29)を有している。風下側上ヘッダ部(5)の第１区画(11)の冷媒流路(10)は、全体が、第１チューブ群(25A)の全熱交換チューブ(24)に冷媒を分流させる分流部(10A)となっている。風下側上ヘッダ部(5)の第２区画(12)の冷媒流路(19)は、第３チューブ群(25C)の熱交換チューブ(24)が通じている部分が、第３チューブ群(25C)の全熱交換チューブ(24)に冷媒を分流させる分流部(19A)となるとともに、第２チューブ群(25B)の熱交換チューブ(24)が通じている残部が、第２チューブ群(25B)の全熱交換チューブ(24)から流入した冷媒を合流させる合流部(19B)となっている。風下側下ヘッダ部(17)の第１区画(21)の冷媒流路(20)は、第２チューブ群(25B)の熱交換チューブ(24)が通じている部分が、第２チューブ群(25B)の全熱交換チューブ(24)に冷媒を分流させる分流部(20A)となるとともに、第１チューブ群(25A)の熱交換チューブ(24)が通じている残部が、第１チューブ群(25A)の全熱交換チューブ(24)から流入した冷媒を合流させる合流部(20B)となっている。風上側下ヘッダ部(18)の第３区画(23)の冷媒流路(29)は、第５チューブ群(26B)の熱交換チューブ(24)が通じている部分が、第５チューブ群(26B)の全熱交換チューブ(24)に冷媒を分流させる分流部(29A)となるとともに、第４チューブ群(26A)の熱交換チューブ(24)が通じている残部が、第４チューブ群(26A)の全熱交換チューブ(24)から流入した冷媒を合流させる合流部(29B)となっている。
【００４７】
図３〜図８に示すように、上ヘッダタンク(2)および下ヘッダタンク(3)は、それぞれ前後方向に並んだ２つ（ヘッダ部(5)(6)(17)(18)と同数）のヘッダ構成部(32A)(32B)、および各ヘッダ構成部(32A)(32B)内を熱交換チューブ(24)に通じさせる連通口(30)を有するタンクエレメント(31)が、左右方向（熱交換チューブ(24)の並び方向）に積層状に並べられるとともに、左右両端のタンクエレメント(31)の外側にアルミニウム製の左右両エンド部材(34)(34A)が配置されることにより構成されている。タンクエレメント(31)には、連通口(30)を介してヘッダ構成部(32A)(32B)内と通じるように、２つ（ヘッダ部(5)(6)(17)(18)と同数）の筒状のチューブ挿入部(33)が設けられている。仕切部(9)および連通部(16)は、適当な位置に配置されたタンクエレメント(31)に設けられている。
【００４８】
タンクエレメント(31)の各ヘッダ構成部(32A)(32B)は、長手方向を左右方向（ヘッダタンク(2)(3)の長手方向）に向けるとともに両端が開口した段付き円筒状であり、隣り合う２つのタンクエレメント(31)のうち一方のタンクエレメント(31)のヘッダ構成部(32A)(32B)の一部が同他方のタンクエレメント(31)のヘッダ構成部(32A)(32B)内に嵌め入れられた状態で、両タンクエレメント(31)のヘッダ構成部(32A)(32B)どうしがろう付されている。
【００４９】
タンクエレメント(31)の各チューブ挿入部(33)は、幅方向が前後方向を向き、かつ一端が連通口(30)に通じるとともに他端が熱交換チューブ(24)側に開口した扁平筒状であり、タンクエレメント(31)と別個に形成された熱交換チューブ(24)がタンクエレメント(31)のチューブ挿入部(33)内に挿入されてタンクエレメント(31)にろう付されている。
【００５０】
タンクエレメント(31)は、熱交換チューブ(24)の並び方向（左右方向）に積層されて相互にろう付された２枚のアルミニウム製プレート(35)(36)からなる。両プレート(35)(36)の左方または右方から見た外形はほぼ同一である。
【００５１】
上ヘッダタンク(2)を形成するタンクエレメント(31)の右プレート(35)には前後方向に間隔をおいて２つの円形貫通穴(37A)(37B)が形成されており、右プレート(35)における各貫通穴(37A)(37B)の周囲の部分に、右方に突出し（他のプレート(36)とは反対側に突出し）かつタンクエレメント(31)のヘッダ構成部(32A)(32B)における右側半部（熱交換チューブ(24)の並び方向の半部）を形成する円筒状部(38A)(38B)が一体に設けられている。また、右プレート(35)の円筒状部(38A)(38B)における熱交換コア部(4)側(熱交換チューブ(24)側)の部分に、右方に凹みかつ連通口(30)の右半部を形成する凹部(50)が形成されている。さらに、右プレート(35)における熱交換コア部(4)側(熱交換チューブ(24)側)の部分に、右方に膨出しかつチューブ挿入部(33)の右側半部（熱交換チューブ(24)の並び方向の半部）を形成する挿入用膨出部(39)が前後方向に間隔をおいて設けられている。各挿入用膨出部(39)の上下方向の一端は凹部(50)を介して前後両側の円筒状部(38A)(38B)の内周面に開口し、他端は熱交換コア部(4)側に開口している。
【００５２】
上ヘッダタンク(2)を形成するタンクエレメント(31)の左プレート(36)には前後方向に間隔をおいて２つの円形貫通穴(41A)(41B)が形成されており、左プレート(36)における各貫通穴(41A)(41B)の周囲の部分に、左方に突出し（他のプレート(35)とは反対側に突出し）かつタンクエレメント(31)のヘッダ構成部(32A)(32B)における左側半部（熱交換チューブ(24)の並び方向の半部）を形成する円筒状部(42A)(42B)が一体に設けられている。また、左プレート(36)の円筒状部(42A)(42B)における熱交換コア部(4)側(熱交換チューブ(24)側)の部分に、左方に凹みかつ連通口(30)の左半部を形成する凹部(51)が形成されている。さらに、左プレート(36)における熱交換コア部(4)側(熱交換チューブ(24)側)の部分に、左方に膨出しかつチューブ挿入部(33)の左側半部（熱交換チューブ(24)の並び方向の半部）を形成する挿入用膨出部(43)が前後方向に間隔をおいて設けられている。各挿入用膨出部(43)の上下方向の一端は凹部(51)を介して前後両側の円筒状部(42A)(42B)の内周面に開口し、他端は熱交換コア部(4)側に開口している。
【００５３】
右プレート(35)の両貫通穴(37A)(37B)の中心の上下方向の位置、および左プレート(36)の両貫通穴(41A)(41B)の中心の上下方向の位置は同一であり、かつ両プレート(35)(36)の両貫通穴(37A)(37B)(41A)(41B)の中心線は同心状である。
【００５４】
上ヘッダタンク(2)を形成するタンクエレメント(31)の左プレート(36)の前後両縁部および上縁部に、右プレート(35)の前後両縁部および上縁部よりも外側に位置する位置決め用右方突出壁(44)が一体に形成されており、両プレート(35)(36)が、右プレート(35)の前後両縁部および上縁部が左プレート(36)の右方突出壁(44)に位置決めされるように積層されるとともに、適当な手段で仮止めされた状態でろう付されている。そして、両前側円筒状部(38A)(42A)により前側ヘッダ構成部(32A)が形成され、両後側円筒状部(38B)(42B)により後側ヘッダ構成部(32B)が形成され、両膨出部(39)(43)によりチューブ挿入部(33)が形成されており、これによりタンクエレメント(31)が構成されている。
【００５５】
上ヘッダタンク(2)を形成するタンクエレメント(31)の右プレート(35)の一方の貫通穴、ここでは前側の貫通穴(37A)の穴径は、他方の貫通穴、ここでは後側の貫通穴(37B)の穴径よりも小さくなっており、したがって前側の円筒状部(38A)の内外径も後側の円筒状部(38B)の内外径よりも小さくなっている。また、小径貫通穴(37A)の穴径に、小径円筒状部(38A)の肉厚の２倍を加えた寸法が、大径貫通穴(37B)の穴径および大径円筒状部(38B)の内径と等しくなっている。
【００５６】
上ヘッダタンク(2)を形成するタンクエレメント(31)の左プレート(36)の一方の貫通穴、ここでは後側の貫通穴(41B)の穴径は、他方の貫通穴、ここでは前側の貫通穴(41A)の穴径よりも小さくなっており、したがって後側の円筒状部(42B)の内外径も前側の円筒状部(42A)の内外径よりも小さくなっている。また、小径貫通穴(41B)の穴径に、小径円筒状部(42B)の肉厚の２倍を加えた寸法が、大径貫通穴(41A)の穴径および大径円筒状部(42A)の内径と等しくなっている。
【００５７】
なお、この実施形態においては、上ヘッダタンク(2)のタンクエレメント(31)における左プレート(36)の小径貫通穴(41B)の穴径は右プレート(35)の小径貫通穴(37A)の穴径と等しく、同じく大径貫通穴(41A)の穴径は右プレート(35)の大径貫通穴(37B)の穴径と等しくなっている。
【００５８】
上ヘッダタンク(2)は、隣り合う２つのタンクエレメント(31)のうち左側タンクエレメント(31)の右プレート(35)(第１のプレート)の小径円筒状部(38A)が、右側タンクエレメント(31)の左プレート(36)(第２のプレート）の大径円筒状部(42A)内に嵌め入れられて両円筒状部(38A)(42A)がろう付されるとともに、左側タンクエレメント(31)の右プレート(35)(第２のプレート)の大径円筒状部(38B)内に右側タンクエレメント(31)の左プレート(36)(第１のプレート)の小径円筒状部(42B)が嵌め入れられて両円筒状部(38B)(42B)がろう付されることにより形成されている。
【００５９】
下ヘッダタンク(3)を形成するタンクエレメント(31)は、上ヘッダタンク(2)を形成するタンクエレメント(31)を、エバポレータ(1)の上下方向の中心および前後方向の中心を通りかつ左右方向にのびる対称軸の周りに１８０度回転させた形状であり、下ヘッダタンク(3)は上ヘッダタンク(2)と同様にして形成されている。下ヘッダタンク(3)のタンクエレメント(31)において、上ヘッダタンク(2)のタンクエレメント(31)と同一部分には同一符号を付す。
【００６０】
風下側上ヘッダ部(5)の仕切部(9)が設けられているタンクエレメント(31)においては、図９に示すように、右プレート(35)の小径円筒状部(38A)の先端開口が、小径円筒状部(38A)と一体に設けられた閉鎖壁(45)により閉鎖されている。また、風上側上ヘッダ部(6)の仕切部(9)が設けられているタンクエレメント(31)においては、図１０に示すように、左プレート(36)の小径円筒状部(42B)の先端開口が、小径円筒状部(42B)と一体に設けられた閉鎖壁(46)により閉鎖されている。仕切部(9)が設けられているタンクエレメント(31)のその他の構成は、上述したタンクエレメント(31)と同一である。
【００６１】
連通部(16)が設けられているタンクエレメント(31)おいては、図１１に示すように、右プレート(35)における両貫通穴(37A)(37B)の間の部分に、右方に膨出しかつ両円筒状部(38A)(38B)内どうしを通じさせる連通用膨出部(47)が設けられ、左プレート(36)における両貫通穴(41A)(41B)の間の部分に、左方に膨出しかつ両円筒状部(42A)(42B)内どうしを通じさせる連通用膨出部(48)が設けられている。連通部(16)が設けられているタンクエレメント(31)のその他の構成は、上述したタンクエレメント(31)と同一である。
【００６２】
両ヘッダタンク(2)(3)の左右両端のエンド部材(34)(34A)は、左右両端に位置するタンクエレメント(31)の左右方向外側のプレート(35)(36)の円筒状部(38A)(38B)(42A)(42B)内に嵌め入れられる凹陷部(34a)を有しており、凹陷部(34a)が円筒状部(38A)(38B)(42A)(42B)内に嵌め入れられた状態でタンクエレメント(31)にろう付されている。上ヘッダタンク(2)の右側エンド部材(34A)の前側凹陷部(34a)の底壁に冷媒入口(7)が形成され、後側凹陷部(34b)の底壁に冷媒出口(8)が形成されている。
【００６３】
風下側上ヘッダ部(5)の第１区画(11)を構成する全タンクエレメント(31)のうち冷媒流路(10)の分流部(10A)における冷媒入口(7)側部分を構成する複数のタンクエレメント(31)の前側ヘッダ構成部(32A)の連通口(30)、風下側上ヘッダ部(5)の第２区画(12)を構成する全タンクエレメント(31)のうち冷媒流路(19)の分流部(19A)を構成する複数のタンクエレメント(31)の前側ヘッダ構成部(32A)の連通口(30)、ならびに風上側下ヘッダ部(18)の第３区画(23)を構成する全タンクエレメント(31)のうち冷媒流路(29)の分流部(29A)における冷媒流れ方向下流側部分を構成する複数のタンクエレメント(31)の後側ヘッダ構成部(32A)の連通口(30)は、それぞれ当該タンクエレメント(31)の左側に隣接して当該タンクエレメント(31)とエレメント対をなすタンクエレメント(31)の小径円筒状部(38A)によって、部分的に塞がれている。また、風下側下ヘッダ部(17)の第１区画(21)を構成する全タンクエレメント(31)のうち冷媒流路(20)の分流部(20A)における冷媒流れ方向下流側部分を構成する複数のタンクエレメント(31)の前側ヘッダ構成部(32B)の連通口(30)は、当該タンクエレメント(31)の右側に隣接して当該タンクエレメント(31)とエレメント対をなすタンクエレメント(31)の小径円筒状部(42B)によって、部分的に塞がれている。すなわち、図１２に示すように、これらの連通口(30)を部分的に塞ぐ小径円筒状部(38A)(42B)の長さは、連通口(30)が全く塞がれていないタンクエレメント(31)における小径円筒状部(38A)(42B)の長さよりも長くなっている。連通口(30)の一部を塞ぐ長尺の小径円筒状部(38A)(42B)の長くなった延長部（図１２の鎖線よりも先端側の部分）を(38A1)(42B1)で示す。
【００６４】
なお、風下側上ヘッダ部(5)の第２区画(12)を構成する全タンクエレメント(31)のうち冷媒流路(19)の分流部(19A)を構成し、かつ連通部(16)が設けられている複数のタンクエレメント(31)の右プレート(35)においては、図１３に示すように、連通部(16)の一部が長尺の小径円筒状部(38A)の延長部(38A1)によって塞がれないように、延長部(38A1)に切り欠き(52)が形成されている。
【００６５】
上述したエバポレータにおいて、冷媒入口(7)を通って風下側上ヘッダ部(5)の第１区画(11)の冷媒流路(10)に流入する冷媒は液相主体であって、重力の影響により、冷媒流路(10)の分流部(10A)の冷媒入口(7)側に通じている熱交換チューブ(24)内に流入し易いが、第１区画(11)を構成する全タンクエレメント(31)のうち分流部(10A)の冷媒入口(7)側部分を構成する複数のタンクエレメント(31)の連通口(30)が部分的に塞がれているので、部分的に塞がれた連通口(30)に通じる熱交換チューブ(24)への冷媒流入量が減少し、これとは反対に全く塞がれていない連通口(30)に通じている熱交換チューブ(24)への冷媒流入量が増大する。したがって、第１区画(11)の冷媒流路(10)の分流部(10A)に通じている全熱交換チューブ(24)への冷媒の分流を均一化することができる。
【００６６】
また、第１チューブ群(25A)から風下側下ヘッダ部(17)の第１区画(21)内に流入しかつ第１区画(21)の冷媒流路(20)内を左方に流れてきた冷媒は、慣性の影響により、第１区画(21)の冷媒流路(20)における分流部(20A)の冷媒流れ方向下流側に流れやすくなり、分流部(20A)における冷媒流れ方向下流側部分(左側部分)に通じている第２チューブ群(25B)の熱交換チューブ(24)に流入し易くなるが、第１区画(21)を構成する全タンクエレメント(31)のうち分流部(20A)の冷媒流れ方向下流側部分を構成する複数のタンクエレメント(31)の前側ヘッダ構成部(32B)の連通口(30)が部分的に塞がれているので、第１チューブ群(25A)から第１区画(21)の冷媒流路(20)内に流入しかつ冷媒流路(20)内を左方に流れてきた冷媒が、分流部(20A)の冷媒流れ方向下流側部分に通じている第２チューブ群(25B)の熱交換チューブ(24)内へ流入する際に抵抗が付与される。したがって、分流部(20A)の冷媒流れ方向下流側部分に通じている第２チューブ群(25B)の熱交換チューブ(24)に流入する冷媒量が減少し、これとは反対に分流部(20A)の冷媒流れ方向上流側部分に通じている第２チューブ群(25B)の熱交換チューブ(24)に流入する冷媒量が増大する。その結果、第2チューブ群(25B)の分流部(20A)に通じている全熱交換チューブ(24)への冷媒の分流を均一化することができる。
【００６７】
また、第２チューブ群(25B)から風下側上ヘッダ部(5)の第２区画(12)内に流入しかつ第２区画(12)の冷媒流路(19)内を左方に流れてきた冷媒は、重力の影響により、第２区画(12)の冷媒流路(19)における分流部(19A)に通じている第３チューブ群(25C)の熱交換チューブ(24)に流入し易くなるが、第２区画(12)を構成する全タンクエレメント(31)のうち分流部(19A)を構成する複数のタンクエレメント(31)の前側ヘッダ構成部(32A)の連通口(30)が部分的に塞がれているので、第２チューブ群(25B)から第２区画(12)の冷媒流路(19)内に流入しかつ冷媒流路(19)内を左方に流れてきた冷媒が分流部(19A)に通じている第３チューブ群(25C)の熱交換チューブ(24)内へ流入する際に抵抗が付与される。したがって、第３チューブ群(25C)の熱交換チューブ(24)に流入する冷媒量が減少し、これとは反対に連通部(16)を通って第３区画(14)内に入った後第４チューブ群(26A)の熱交換チューブ(24)へ流入する冷媒量が増大する。その結果、第３パスを構成する第３チューブ群(25C)の全熱交換チューブ(24)および第４チューブ群(26A)の全熱交換チューブ(24)への冷媒の分流を均一化することができる。
【００６８】
さらに、第４チューブ群(26A)から風上側下ヘッダ部(18)の第３区画(23)内に流入しかつ第３区画(23)の冷媒流路(29)内を右方に流れてきた冷媒は、慣性の影響により、第３区画(23)の冷媒流路(29)における分流部(29A)の冷媒流れ方向下流側に流れやすくなり、分流部(29A)における冷媒流れ方向下流側部分(右側部分)に通じている第５チューブ群(26B)の熱交換チューブ(24)に流入し易くなるが、第３区画(23)を構成する全タンクエレメント(31)のうち分流部(29A)の冷媒流れ方向下流側部分を構成する複数のタンクエレメント(31)の後側ヘッダ構成部(32A)の連通口(30)が部分的に塞がれているので、第４チューブ群(26A)から第３区画(23)の冷媒流路(29)内に流入しかつ冷媒流路(29)内を右方に流れてきた冷媒が、分流部(29A)の冷媒流れ方向下流側部分に通じている第５チューブ群(26B)の熱交換チューブ(24)内へ流入する際に抵抗が付与される。したがって、分流部(29A)の冷媒流れ方向下流側部分に通じている第５チューブ群(26B)の熱交換チューブ(24)に流入する冷媒量が減少し、これとは反対に分流部(29A)の冷媒流れ方向上流側部分に通じている第５チューブ群(26B)の熱交換チューブ(24)に流入する冷媒量が増大する。その結果、第５チューブ群(26B)の分流部(29A)に通じている全熱交換チューブ(24)への冷媒の分流を均一化することができる。
【００６９】
ところで、上述したエバポレータ(1)は、上ヘッダタンク(2)が下ヘッダタンク(3)よりも風上側に位置するように傾斜した状態で用いられることがある。この場合、風上側上ヘッダ部(6)の第３区画(14)を構成する全タンクエレメント(31)の後側ヘッダ構成部(32B)の連通口(30)は、当該タンクエレメント(31)の右側に隣接して当該タンクエレメント(31)とエレメント対をなすタンクエレメント(31)の小径円筒状部(42B)によって、部分的に塞がれる。さらに、風下側上ヘッダ部(5)の第２区画(12)を構成する全タンクエレメント(31)のうち冷媒流路(19)の分流部(19A)を構成する複数のタンクエレメント(31)の前側ヘッダ構成部(32A)の連通口(30)は全く塞がれない。
【００７０】
上述した傾斜状態においては、第２チューブ群(25B)から風下側上ヘッダ部(5)の第２区画(12)内に流入しかつ第２区画(12)の冷媒流路(19)内を左方に流れて分流部(19A)に入った冷媒は、重力の影響により、連通部(16)を通って第３区画(14)に流入し易くなるとともに、第３区画(14)に通じている第４チューブ群(26A)の熱交換チューブ(24)に流入し易くなる。しかしながら、風上側上ヘッダ部(6)の第３区画(14)を構成する全タンクエレメント(31)の後側ヘッダ構成部(32B)の連通口(30)が部分的に塞がれているので、冷媒が、第３区画(14)から第４チューブ群(26A)の熱交換チューブ(24)内へ流入する際に抵抗が付与される。したがって、第４チューブ群(26A)の熱交換チューブ(24)に流入する冷媒量が減少し、これとは反対に第２区画(12)の冷媒流路(19)の分流部(19A)から第３チューブ群(25C)の熱交換チューブ(24)へ流入する冷媒量が増大する。その結果、第３パスを構成する第３チューブ群(25C)の全熱交換チューブ(24)および第４チューブ群(26A)の全熱交換チューブ(24)への冷媒の分流を均一化することができる。
【００７１】
図１４はタンクエレメントおよび熱交換チューブの変形例を示す。
【００７２】
図１４において、熱交換チューブ(55)は、上下両ヘッダタンク(2)(3)のタンクエレメント(31)と一体に設けられており、熱交換チューブ(55)の両端が両タンクエレメント(31)の連通口(30)に通じさせられている。熱交換チューブ(55)は、両タンクエレメント(31)の両プレート(35)(36)と一体に設けられ、かつ熱交換チューブ(55)における熱交換チューブ(55)の並び方向の半部を形成するチューブ構成部(56)からなる。
【００７３】
上述した実施形態においては、この発明による熱交換器が、２つのヘッダタンクが上下方向に間隔をおいて配置され、各ヘッダタンクが、通風方向に並んで設けられた２つのヘッダ部を備え、両ヘッダタンクの風下側ヘッダ部間および風上側ヘッダ部間にそれぞれ複数の熱交換チューブが配置されて両ヘッダ部に通じさせられ、両ヘッダタンクの風下側ヘッダ部間に配置された複数の熱交換チューブにより風下側チューブ列が構成されるとともに、風上側ヘッダ部間に配置された複数の熱交換チューブにより風上側チューブ列が構成され、いずれかのヘッダタンクの風下側ヘッダ部の一端部に冷媒入口が設けられるとともに、当該ヘッダタンクの風上側ヘッダ部における冷媒入口と同一端部に冷媒出口が設けられ、上ヘッダタンクの両ヘッダ部に、それぞれ複数の区画が設けられ、風下側チューブ列および風上側チューブ列に、それぞれ複数の熱交換チューブからなり、かつ冷媒が熱交換チューブ内を上から下に流れる下降流チューブ群と、複数の熱交換チューブからなり、かつ冷媒が下から上に流れる上昇流チューブ群とが交互に設けられ、風下側チューブ列の冷媒入口から最も遠い位置にある最遠チューブ群および風上側チューブ列の冷媒出口から最も遠い位置にある最遠チューブ群が下降流チューブ群となり、両最遠チューブ群が通風方向に並ぶとともに、当該両最遠チューブ群により１つのパスが構成され、上ヘッダタンクの風下側ヘッダ部における冷媒入口から最も遠い最遠区画に、風下側チューブ列の最遠チューブ群およびこれに隣接するチューブ群が通じさせられ、上ヘッダタンクの風上側ヘッダ部における冷媒出口から最も遠い最遠区画に風上側チューブ列の最遠チューブ群が通じさせられ、風下側ヘッダ部の最遠区画における風下側チューブ列の最遠チューブ群が通じる部分と、風上側ヘッダ部の最遠区画とが連通部により通じさせられ、上ヘッダタンクの風下側ヘッダ部の最遠区画の全体が、冷媒をその長さ方向に流すとともに冷媒流れ方向下流端部が閉鎖された冷媒流路であり、当該冷媒流路における冷媒流れ方向下流側部分に、冷媒を、風下側チューブ列の最遠チューブ群の熱交換チューブに分流させる分流部が設けられているタイプのエバポレータに適用されているが、これに限定されるものではない。
【００７４】
たとえば、この発明による熱交換器は、２つのヘッダタンクが上下方向に間隔をおいて配置され、各ヘッダタンクが、通風方向に並んで設けられた２つのヘッダ部を備え、両ヘッダタンクの風下側ヘッダ部間および風上側ヘッダ部間にそれぞれ複数の熱交換チューブが配置されて両ヘッダ部に通じさせられ、両ヘッダタンクの風下側ヘッダ部間に配置された複数の熱交換チューブにより風下側チューブ列が構成されるとともに、風上側ヘッダ部間に配置された複数の熱交換チューブにより風上側チューブ列が構成され、いずれかのヘッダタンクの風下側ヘッダ部の一端部に冷媒入口が設けられるとともに、当該ヘッダタンクの風上側ヘッダ部における冷媒入口と同一端部に冷媒出口が設けられ、上下両ヘッダタンクの両ヘッダ部に、それぞれ同数の区画が設けられ、いずれか一方のヘッダタンクの風下側ヘッダ部の冷媒入口から最も遠い最遠区画と、同じく風上側ヘッダ部の冷媒出口から最も遠い最遠区画とが連通部により通じさせられ、風下側チューブ列および風上側チューブ列に、それぞれ複数の熱交換チューブからなる前記区画と同数のチューブ群が設けられ、風下側チューブ列および風上側チューブ列に、それぞれ冷媒が熱交換チューブ内を上から下に流れる下降流チューブ群と、複数の熱交換チューブからなり、かつ冷媒が下から上に流れる上昇流チューブ群とが交互に設けられ、風下側チューブ列の下降流チューブ群と風上側チューブ列の上昇流チューブ群、および風下側チューブ列の上昇流チューブ群と風上側チューブ列の下降流チューブ群とが通風方向に並んで設けられているタイプのエバポレータにも適用可能である。
【産業上の利用可能性】
【００７５】
この発明による熱交換器は、車両用空調装置を構成する冷凍サイクルのエバポレータに好適に用いられる。
【符号の説明】
【００７６】
(1)：エバポレータ
(2)：上ヘッダタンク
(3)：下ヘッダタンク
(5)：風下側上ヘッダ部
(6)：風上側上ヘッダ部
(7)：冷媒入口
(8)：冷媒出口
(9)：仕切部
(10)(19)(20)(29)：冷媒流路
(10A)(19A)(20A)(29A)：分流部
(11)(12)(14)(15)(21)(22)(23)：区画
(16)：連通部
(17)：風下側下ヘッダ部
(18)：風上側下ヘッダ部
(24)(55)：熱交換チューブ
(25)：風下側チューブ列
(25C)：第３チューブ群(最遠チューブ群）
(26)：風上側チューブ列
(26A)：第４チューブ群(最遠チューブ群）
(30)：連通口
(31)：タンクエレメント
(32A)(32B)：ヘッダ構成部
(33)：チューブ挿入部
(35)：右プレート
(36)：左プレート
(37A)(37B)(41A)(41B)：貫通穴
(38A)(38B)(42A)(42B)：円筒状部
(39)：膨出部
(43)：膨出部
(50)(51)：凹部
(56)：チューブ構成部
【図１】
2017009195.tif 000003
【図２】
2017009195.tif 000004
【図３】
2017009195.tif 000005
【図４】
2017009195.tif 000006
【図５】
2017009195.tif 000007
【図６】
2017009195.tif 000008
【図７】
2017009195.tif 000009
【図８】
2017009195.tif 000010
【図９】
2017009195.tif 000011
【図１０】
2017009195.tif 000012
【図１１】
2017009195.tif 000013
【図１２】
2017009195.tif 000014
【図１３】
2017009195.tif 000015
【図１４】
2017009195.tif 000016